(57)【要約】  本発明の諸実施形態はチャネル推定方法、通信ノード、および通信システムを提供する。前記方法は、第１の通信ノードにより送信された信号パケット内のプリアンブルを取得するステップであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、ステップと、前記第１のフィールドおよび前記第２のフィールドを用いることにより、多入力多出力送信周波数帯の全てのサブキャリア上の各空間フローの第１のチャネル推定を取得するステップとを含む。本発明の諸実施形態で提供する技術的解決策は、チャネル推定の性能を保証しつつ、シグナリング・オーバヘッドを減らし、リソース利用を高める。
2017535141.tif 000002
【特許請求の範囲】
【請求項１】
第１の通信ノードにより送信された信号パケット内のプリアンブルを取得するステップであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、ステップと、
前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するステップと、
を含む、チャネル推定方法。
【請求項２】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項１に記載の方法。
【請求項３】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項１に記載の方法。
【請求項４】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項１に記載の方法。
【請求項５】
前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するステップは、
前記第１のフィールドにより運搬される前記第１の基準信号を用いることによって、前記第１のフィールド内の対応するサブキャリア上の各空間フローのチャネル推定を取得するステップと、
補間により、前記ＭＩＭＯ送信周波数帯の全てのサブキャリア上の各空間フローの第２のチャネル推定を取得するステップと、
前記第２のチャネル推定を用いることによって、前記第２のフィールドを復調し復号化して、前記第２のフィールドにより運搬される前記有用な情報を取得するステップと、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成するステップと、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得するステップと、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得するステップと、
を含む、請求項１に記載の方法。
【請求項６】
信号パケット内のプリアンブルを決定するステップであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は、第１の通信ノードおよび第２の通信ノードの両方に既知である決定された信号であり、前記第２のフィールドのＯＦＤＭシンボルのサブキャリアは有用な情報を運搬するために使用され、前記有用な情報は物理層制御情報および／またはデータである、ステップと、
前記プリアンブルを含む前記信号パケットを前記第２の通信ノードに送信するステップと、
を含む、チャネル推定方法。
【請求項７】
第２の通信ノードであって、
第１の通信ノードにより送信された信号パケット内のプリアンブルを取得するように構成された取得モジュールであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は前記第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、取得モジュールと、
前記取得モジュールにより取得された前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するように構成されたチャネル推定モジュールと、
を備える、第２の通信ノード。
【請求項８】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項７に記載の第２の通信ノード。
【請求項９】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項７に記載の第２の通信ノード。
【請求項１０】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項７に記載の第２の通信ノード。
【請求項１１】
前記チャネル推定モジュールは特に、
前記第１のフィールドにより運搬される前記第１の基準信号を用いることによって、前記第１のフィールド内の対応するサブキャリア上の各空間フローのチャネル推定を取得し、
補間により、前記ＭＩＭＯ送信周波数帯の全てのサブキャリア上の各空間フローの第２のチャネル推定を取得し、
前記第２のチャネル推定を用いることによって、前記第２のフィールドを復調し復号化して、前記第２のフィールドにより運搬される前記有用な情報を取得し、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成し、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得し、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得する
ように構成された、請求項７に記載の第２の通信ノード。
【請求項１２】
第１の通信ノードであって、
信号パケット内のプリアンブルを決定するように構成された決定モジュールであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、決定モジュールと、
前記プリアンブルを含む前記信号パケットを前記第２の通信ノードに送信するように構成された送信モジュールと、
を備える、第１の通信ノード。
【請求項１３】
第２の通信ノードであって、
第１の通信ノードにより送信された信号パケット内のプリアンブルを取得するように構成された送受信器であって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は前記第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、送受信器と、
前記送受信器により取得された前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するように構成されたプロセッサと、
を備える、第２の通信ノード。
【請求項１４】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項１３に記載の第２の通信ノード。
【請求項１５】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項１３に記載の第２の通信ノード。
【請求項１６】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項１３に記載の第２の通信ノード。
【請求項１７】
前記プロセッサは特に、
前記第１のフィールドにより運搬される前記第１の基準信号を用いることによって、前記第１のフィールド内の対応するサブキャリア上の各空間フローのチャネル推定を取得し、
補間により、前記ＭＩＭＯ送信周波数帯の全てのサブキャリア上の各空間フローの第２のチャネル推定を取得し、
前記第２のチャネル推定を用いることによって、前記第２のフィールドを復調し復号化して、前記第２のフィールドにより運搬される前記有用な情報を取得し、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成し、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得し、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得する
ように構成される、請求項１３に記載の第２の通信ノード。
【請求項１８】
第１の通信ノードであって、
信号パケット内のプリアンブルを決定するように構成されたプロセッサであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、プロセッサと、
前記プリアンブルを含む前記信号パケットを前記第２の通信ノードに送信するするように構成された送信器と、
を備える、第１の通信ノード。
【請求項１９】
請求項７乃至１１の何れか１項に記載の第２の通信ノードと請求項１２に記載の第１の通信ノードを備える、通信システム。
【発明の詳細な説明】
【技術分野】
【０００１】
本発明の諸実施形態は無線通信技術に関し、特に、チャネル推定方法、通信ノード、および通信システムに関する。
【背景技術】
【０００２】
直交周波数分割多重技術（英語：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）に基づく無線ローカル・アクセス・ネットワーク（英語：Ｗｉｒｅｌｅｓｓ  ｌｏｃａｌ  Ａｃｃｅｓｓ  Ｎｅｔｗｏｒｋ、略してＷＬＡＮ）標準は、８０２．１１ａ、８０２．１１ｎ、および８０２．１１ａｃのような徐々に発展したリリースを含む。８０２．１１ｎおよび８０２．１１ａｃは既にシングル・ユーザ多入力多出力（英語：Ｓｉｎｇｌｅ  Ｕｓｅｒ  Ｍｕｌｔｉｐｌｅ−Ｉｎｐｕｔ  Ｍｕｌｔｉｐｌｅ−Ｏｕｔｐｕｔ、略してＳＵ−ＭＩＭＯ）をサポートしており、８０２．１１ａｃはさらにダウンリンク・マルチ・ユーザ多入力多出力（英語：Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、略してＭＵ−ＭＩＭＯ）をサポートする。今日、ＩＥＥＥ８０２．１１標準化組織は新世代ＷＬＡＮ標準８０２．１１ａｘの標準化作業を開始している。新世代ＷＬＡＮ標準８０２．１１ａｘは、高効率ＷＬＡＮ（英語：Ｈｉｇｈ  Ｅｆｆｉｃｉｅｎｃｙ  ＷＬＡＮ、略してＨＥＷ）と呼ばれる。直交周波数分割多重アクセス（英語：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、略してＯＦＤＭＡ）およびアップリンクＭＵ−ＭＩＭＯは８０２．１１ａｘにおいて２つの主要な技術である。ＳＵ−ＭＩＭＯおよびＭＵ−ＭＩＭＯでは、複数の空間フローがＭＩＭＯにより並列に送信され、復調のような受信処理を全ての空間フローに実施する前に、受信端は先ずＭＩＭＯチャネル推定を取得する必要がある。例えば、アップリンクＭＵ−ＭＩＭＯにおいて、様々な局（英語：Ｓｔａｔｉｏｎ、略してＳＴＡ）からの信号を復調するために、アクセス・ポイント（英語：Ａｃｃｅｓｓ  Ｐｏｉｎｔ、略してＡＰ）が、全てのＳＴＡにより送信されたアップリンク・パケットのプリアンブル内の高効率ロング・トレーニング・フィールド（英語：Ｈｉｇｈ  Ｅｆｆｉｃｉｅｎｃｙ  Ｌｏｎｇ  Ｔｒａｉｎｉｎｇ  ｆｉｅｌｄ、略してＨＥ−ＬＴＦ）を用いることにより、アップリンクＭＵ−ＭＩＭＯのチャネル推定を取得してもよい。
【０００３】
図１は既存のＨＥ−ＬＴＦ解決策の略図である。当該既存の解決策では、ＨＥ−ＬＴＦはＮ個のＯＦＤＭシンボルを含む。Ｎは空間フローの数である（実際の空間フローの数が１より大きい奇数であるとき、Ｎは当該実際の空間フローの数に１を足したものであり、実際の空間フローの数が１であるとき、Ｎ＝１である）。各ＯＦＤＭシンボルの利用可能なサブキャリアは基準信号を運搬し、サブキャリア（英語：Ｓｕｂ−ｃａｒｒｉｅｒ）インターリーブによる異なる空間フローに順次対応する。利用可能なサブキャリアは高々、ゼロ周波数サブキャリアとＭＩＭＯ送信周波数帯の隣接チャネル漏洩を抑制するために使用されるおよび保護サブキャリアとを除くサブキャリアである。特に、ＯＦＤＭシンボル内の各空間フローに対応するサブキャリアの数はＭ／Ｎであり、Ｍは利用可能なサブキャリアの数である。全ての空間フローは各ＯＦＤＭシンボル内の異なるサブキャリアに順次対応し、対応する空間フローに対応し２つおきのＯＦＤＭシンボル内にあるサブキャリアは１つのサブキャリアの位置によりスタガーされる。したがって、Ｎ個のＯＦＤＭシンボルの範囲内で、各空間フローに対応するサブキャリアは全ての利用可能なサブキャリアの位置に分散され、全ての空間フローに対応するサブキャリアは相互に直交する。このように、各利用可能なサブキャリア上の対応する空間フローのチャネル推定が、ＨＥ−ＬＴＦにおいて各空間フローに対応するサブキャリアにより運搬される基準信号を用いることにより取得される。
【０００４】
説明の簡単さのため、本発明では、ＨＥ−ＬＴＦのｎ番目のＯＦＤＭシンボル内の全ての空間フローに対応するサブキャリアの位置の分布パターンをΨ（ｎ）と定義する。異なる空間フローに対応するサブキャリアの位置は異なるシンボルを用いることにより区別され、次のＯＦＤＭシンボル内の全ての空間フローに対応するサブキャリアの位置の分布パターンをΨ（ｎ＋１）と表してもよい。「＋１」は、当該ＯＦＤＭシンボル内の全ての空間フローに対応するサブキャリアの位置が１つのサブキャリアの位置だけ前方または後方に移動されることを示す。このように、図１に示す既存のＨＥ−ＬＴＦ解決策では、Ｎ個のＯＦＤＭシンボル内の全ての空間フローに対応するサブキャリアの位置の分布パターンは順次Ψ（１）、Ψ（２）、・・・、Ψ（Ｎ）である。
【０００５】
ＯＦＤＭ技術に基づく既存のＷＬＡＮシステムは長さが４マイクロ秒であるＯＦＤＭシンボルを使用する。屋外での適用をサポートしＯＦＤＭＡ性能を高めるために、８０２．１１ａｘ標準は、長さが既存のＯＦＤＭシンボルの長さの４倍かまたはそれより大きいＯＦＤＭシンボルの利用をサポートする。長さが既存のＯＦＤＭシンボルの長さの４倍であるＯＦＤＭシンボルを使用するとき、これは、各ＯＦＤＭシンボルの長さが１６マイクロ秒であることを示す。例えば、長さが１乃至３ミリ秒である典型的なＷＬＡＮパケットに対して、８個の空間フローが送信されるとき、ＨＥ−ＬＴＦの長さは高々１２８マイクロ秒であり、オーバヘッドは高々４．３％乃至１２．８％であり、結果としてリソース利用は低い。
【発明の概要】
【課題を解決するための手段】
【０００６】
本発明の諸実施形態はチャネル推定方法、通信ノード、および通信システムを提供する。これらは、チャネル推定の性能を保証しつつ、シグナリング・オーバヘッドを減らし、リソース利用を高める。
【０００７】
本発明の第１の態様ではチャネル推定方法を提供する。当該方法は、第１の通信ノードにより送信された信号パケット内のプリアンブルを取得するステップであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、ステップと、
当該プリアンブル内の第１のフィールドおよび第２のフィールドを用いることによって、多入力多出力ＭＩＭＯ送信周波数帯の全てのサブキャリア上の各空間フローの第１のチャネル推定を取得するステップと、
を含む。
【０００８】
第１の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
【０００９】
第１の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【００１０】
第１の態様の第３の可能な実装方式では、当該サブキャリアは、ゼロ周波数サブキャリアとＭＩＭＯ送信周波数帯の隣接チャネル漏洩を抑制するために使用される保護サブキャリアとを除くサブキャリアである。
【００１１】
第１の態様の第４の可能な実装方式では、当該プリアンブル内の第１のフィールドおよび第２のフィールドを用いることによって、多入力多出力ＭＩＭＯ送信周波数帯の全てのサブキャリア上の各空間フローの第１のチャネル推定を取得するステップは、
第１のフィールドにより運搬される第１の基準信号を用いることによって、第１のフィールド内の対応するサブキャリア上の各空間フローのチャネル推定を取得するステップと、
補間により、当該ＭＩＭＯ送信周波数帯の全てのサブキャリア上の各空間フローの第２のチャネル推定を取得するステップと、
第２のチャネル推定を用いることによって、第２のフィールドを復調し復号化して、第２のフィールドにより運搬される当該有用な情報を取得するステップと、
当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成するステップと、
第２のフィールドの各ＯＦＤＭシンボルの各サブキャリアに対応する第２の基準信号を用いることによって、第２のフィールド内の対応するサブキャリア上の各空間フローのチャネル推定を取得するステップと、
各空間フローのチャネル推定を、第１のフィールドおよび第２のフィールド内の対応するサブキャリア上で結合することによって、当該ＭＩＭＯ送信周波数帯の全てのサブキャリア上の各空間フローの第１のチャネル推定を取得するステップと
を含む。
【００１２】
第２の態様によれば、本発明の当該実施形態ではチャネル推定方法を提供する。当該方法は、
信号パケット内のプリアンブルを決定するステップであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は、第１の通信ノードおよび第２の通信ノードの両方に既知である決定された信号であり、第２のフィールドのＯＦＤＭシンボルのサブキャリアは有用な情報を運搬するために使用され、当該有用な情報は物理層制御情報および／またはデータである、ステップと、
当該プリアンブルを含む信号パケットを第２の通信ノードに送信するステップと、
を含む。
【００１３】
第３の態様によれば、本発明の当該実施形態では第２の通信ノードを提供する。第２の通信ノードは、
第１の通信ノードにより送信された信号パケット内のプリアンブルを取得するように構成された取得モジュールであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、取得モジュールと、
当該取得モジュールにより取得された当該プリアンブル内の第１のフィールドおよび第２のフィールドを用いることによって、多入力多出力ＭＩＭＯ送信周波数帯の全てのサブキャリア上の各空間フローの第１のチャネル推定を取得するように構成されたチャネル推定モジュールと
を備える。
【００１４】
第３の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
【００１５】
第３の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【００１６】
第３の態様の第３の可能な実装方式では、当該サブキャリアは、ゼロ周波数サブキャリアとＭＩＭＯ送信周波数帯の隣接チャネル漏洩を抑制するために使用される保護サブキャリアとを除くサブキャリアである。
【００１７】
第３の態様の第４の可能な実装方式では、当該チャネル推定モジュールは特に、
第１のフィールドにより運搬される第１の基準信号を用いることによって、第１のフィールド内の対応するサブキャリア上の各空間フローのチャネル推定を取得し、
補間により、当該ＭＩＭＯ送信周波数帯の全てのサブキャリア上の各空間フローの第２のチャネル推定を取得し、
第２のチャネル推定を用いることによって、第２のフィールドを復調し復号化して、第２のフィールドにより運搬される当該有用な情報を取得し、
当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成し、
第２のフィールドの各ＯＦＤＭシンボルの各サブキャリアに対応する第２の基準信号を用いることによって、第２のフィールド内の対応するサブキャリア上の各空間フローのチャネル推定を取得し、
各空間フローのチャネル推定を、第１のフィールドおよび第２のフィールド内の対応するサブキャリア上で結合することによって、当該ＭＩＭＯ送信周波数帯の全てのサブキャリア上の各空間フローの第１のチャネル推定を取得する
ように構成される。
【００１８】
第４の態様によれば、本発明の当該実施形態では第１の通信ノードを提供する。第１の通信ノードは、
信号パケット内のプリアンブルを決定するように構成された決定モジュールであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、決定モジュールと、
当該プリアンブルを含む信号パケットを第２の通信ノードに送信するように構成された送信モジュールと、
を備える。
【００１９】
第５の態様によれば、本発明の当該実施形態では第２の通信ノードを提供する。第２の通信ノードは、
第１の通信ノードにより送信された信号パケット内のプリアンブルを取得するように構成された送受信器であって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、送受信器と、
当該送受信器により取得された当該プリアンブル内の第１のフィールドおよび第２のフィールドを用いることによって、多入力多出力ＭＩＭＯ送信周波数帯の全てのサブキャリア上の各空間フローの第１のチャネル推定を取得するように構成されたプロセッサと
を備える。
【００２０】
第５の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
【００２１】
第５の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【００２２】
第５の態様の第３の可能な実装方式では、当該サブキャリアは、ゼロ周波数サブキャリアとＭＩＭＯ送信周波数帯の隣接チャネル漏洩を抑制するために使用される保護サブキャリアとを除くサブキャリアである。
【００２３】
第５の態様の第４の可能な実装方式では、当該プロセッサは特に、
第１のフィールドにより運搬される第１の基準信号を用いることによって、第１のフィールド内の対応するサブキャリア上の各空間フローのチャネル推定を取得し、
補間により、当該ＭＩＭＯ送信周波数帯の全てのサブキャリア上の各空間フローの第２のチャネル推定を取得し、
第２のチャネル推定を用いることによって、第２のフィールドを復調し復号化して、第２のフィールドにより運搬される当該有用な情報を取得し、
当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成し、
第２のフィールドの各ＯＦＤＭシンボルの各サブキャリアに対応する第２の基準信号を用いることによって、第２のフィールド内の対応するサブキャリア上の各空間フローのチャネル推定を取得し、
各空間フローのチャネル推定を、第１のフィールドおよび第２のフィールド内の対応するサブキャリア上で結合することによって、当該ＭＩＭＯ送信周波数帯の全てのサブキャリア上の各空間フローの第１のチャネル推定を取得する
ように構成される。
【００２４】
第６の態様によれば、本発明の当該実施形態では第１の通信ノードを提供する。第１の通信ノードは、
信号パケット内のプリアンブルを決定するように構成されたプロセッサであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、プロセッサと、
当該プリアンブルを含む信号パケットを第２の通信ノードに送信するように構成された送信器と、
を備える。
【００２５】
第７の態様によれば、本発明の当該実施形態では通信システムを提供する。当該通信システムは、第３の態様に従う任意の第２の通信ノードと第４の態様に従う第１の通信ノードとを備える。
【００２６】
本発明の当該実施形態で提供するチャネル推定方法、通信ノード、および通信システムによれば、信号パケット内のＨＥ−ＬＴＦは２つの部分を含む。第１の部分では、各ＯＦＤＭシンボルのサブキャリアは基準信号を運搬するために使用され、第２の部分では、各ＯＦＤＭシンボルのサブキャリアは基準信号を運搬するのではなく有用な情報を運搬するために使用される。したがって、第１のフィールドのみがチャネル推定のためのオーバヘッドとして実際に使用される。第１のフィールドのＯＦＤＭシンボルの数は空間フローの数より少ない。したがって、先行技術と比較すると、本発明の諸実施形態で提供する技術的解決策は、大幅にシグナリング・オーバヘッドを減らし、リソース利用を高める。
【図面の簡単な説明】
【００２７】
【図１】既存のＨＥ−ＬＴＦ解決策の略図である。
【図２】本発明の１実施形態に従うチャネル推定方法の流れ図である。
【図３】本発明の１実施形態に従う第１のフィールドおよび第２のフィールド内の全ての空間フロー（Ｎ＝２）に対応するサブキャリアの位置の分布図である。
【図４】本発明の１実施形態に従う第１のフィールドおよび第２のフィールド内の全ての空間フロー（Ｎ＝４）に対応するサブキャリアの位置の分布図である。
【図５】本発明の１実施形態に従う第１のフィールドおよび第２のフィールド内の全ての空間フロー（Ｎ＝４）に対応するサブキャリアの位置の別の分布図である。
【図６】本発明の１実施形態に従う第１のフィールドおよび第２のフィールド内の全ての空間フロー（Ｎ＝６）に対応するサブキャリアの位置の分布図である。
【図７】本発明の１実施形態に従う第１のフィールドおよび第２のフィールド内の全ての空間フロー（Ｎ＝６）に対応するサブキャリアの位置の別の分布図である。
【図８】本発明の１実施形態に従う第１のフィールドおよび第２のフィールド内の全ての空間フロー（Ｎ＝６）に対応するサブキャリアの位置のさらに別の分布図である。
【図９】本発明の１実施形態に従う第１のフィールドおよび第２のフィールド内の全ての空間フロー（Ｎ＝４）に対応するサブキャリアの位置のさらに別の分布図である。
【図１０】本発明の１実施形態に従う第１のフィールドおよび第２のフィールド内の全ての空間フロー（Ｎ＝６）に対応するサブキャリアの位置のさらに別の分布図である。
【図１１】本発明の１実施形態に従う第１のフィールドおよび第２のフィールド内の全ての空間フロー（Ｎ＝６）に対応するサブキャリアの位置のさらに別の分布図である。
【図１２】本発明の１実施形態に従う第１のフィールドおよび第２のフィールド内の全ての空間フロー（Ｎ＝８）に対応するサブキャリアの位置の分布図である。
【図１３】本発明の１実施形態に従うチャネル推定方法の別の流れ図である。
【図１４】本発明の１実施形態に従うチャネル推定方法のさらに別の流れ図である。
【図１５】本発明の１実施形態に従う第２の通信ノードの略構造図である。
【図１６】本発明の１実施形態に従う第１の通信ノードの略構造図である。
【図１７】本発明の１実施形態に従う第２の通信ノードの別の略構造図である。
【図１８】本発明の１実施形態に従う第１の通信ノードの別の略構造図である。
【図１９】本発明の１実施形態に従う通信システムの略構造図である。
【発明を実施するための形態】
【００２８】
８０２．１１ａｘの信号パケットは２つの部分、即ち、プリアンブルとデータ・フィールドを含む。プリアンブルはレガシ・プリアンブル（英語：Ｌｅｇａｃｙ  Ｐｒｅａｍｂｌｅ）とＨＥＷプリアンブルを含む。ＨＥＷプリアンブルは８０２．１１ａｘのパケットに固有なプリアンブルであり、少なくともシグナリング・フィールドおよびトレーニング・フィールドのような部分を含む。シグナリング・フィールドは物理層制御情報を送信するために使用される。トレーニング・フィールドは、自動利得制御や、チャネル推定のための基準信号の提供のような機能を含む。ＨＥ−ＬＴＦは当該トレーニング・フィールドの一部である。
【００２９】
本発明の諸実施形態で提供するチャネル推定方法では、第１の通信ノードにより第２の通信ノードに送信される信号パケットのプリアンブルは少なくとも第１のフィールドおよび第２のフィールドを含む。第１のフィールドのＯＦＤＭシンボルの数は空間フローの数より少なく、第１のフィールドおよび第２のフィールドのＯＦＤＭシンボルの合計は空間フローの数より大きくない。第１のフィールドの各ＯＦＤＭシンボルのサブキャリアは基準信号を運搬し、当該基準信号は第１の通信ノードおよび第２の通信ノードの両方に既知である決定された信号であり、一般に、二相偏移変調（英語：Ｂｉｎａｒｙ  Ｐｈａｓｅ  Ｓｈｉｆｔ  Ｋｅｙｉｎｇ、略してＢＰＳＫ）、四相偏移変調（英語：Ｑｕａｄｒａｔｕｒｅ  Ｐｈａｓｅ  Ｓｈｉｆｔ  Ｋｅｙｉｎｇ、略してＱＰＳＫ）等により変調されたシンボルを使用してもよい。第２のフィールドの各ＯＦＤＭシンボルのサブキャリアは、基準信号を運搬するのではなく有用な情報を送信するために使用され、当該有用な情報が、物理層制御情報の全部または一部および／または当該信号パケットを用いることにより送信されたデータの全部または一部であってもよい。
【００３０】
本発明の当該実施形態で提供するチャネル推定方法では、第１のフィールドおよび第２のフィールドをそれぞれＨＥ−ＬＴＦフィールドの第１の部分および第２の部分として理解してもよく、その結果、本発明では、チャネル推定に対する基準信号を提供する機能に加えて、ＨＥ−ＬＴＦフィールドはさらに、物理層制御情報の全部または一部および／またはデータの全部または一部を送信する機能を有する。あるいは、第１のフィールドをＨＥ−ＬＴＦフィールドとして理解してもよく、第２のフィールドをシグナリング・フィールドの一部または全部および／またはデータ・フィールドの一部または全部として理解してもよく、その結果、本発明では、物理層制御情報の全部または一部および／またはデータの全部または一部を送信する機能に加えて、第２のフィールドはさらに、チャネル推定に対する基準信号を第１のフィールドとともに提供する機能を有する。
【００３１】
上述の２つの理解方式は本質的に同一であり、当該理解方式の何れも本発明で提供される技術的解決策の実装に影響を及ぼさないことを当業者は理解しうる。
【００３２】
図２は、本発明の１実施形態に従うチャネル推定方法の流れ図である。図２に示すように、本発明の当該実施形態で提供されるチャネル推定方法は以下を含む。
【００３３】
２０１．第１の通信ノードにより送信された信号パケット内のプリアンブルを取得する。当該プリアンブルは少なくとも第１のフィールドおよび第２のフィールドを含み、第１のフィールドの各直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドの各ＯＦＤＭシンボルのサブキャリアは有用な情報を運搬するために使用され、当該有用な情報は物理層制御情報および／またはデータである。
【００３４】
２０２．当該プリアンブル内の第１のフィールドおよび第２のフィールドを用いることによって、ＭＩＭＯ送信周波数帯の全てのサブキャリア上の各空間フローの第１のチャネル推定を取得する。
【００３５】
本発明の当該実施形態を無線通信システム内の通信ノード、例えば、第２の通信ノードにより実行してもよく、第２の通信ノードは第１の通信ノードと通信する。任意選択で、例えば、第１の通信ノードがＳＴＡ、ユーザ機器、またはアクセス・ポイントであってもよく、例えば、第２の通信ノードがＳＴＡ、アクセス・ポイント、またはユーザ機器であってもよい。
【００３６】
本発明の当該実施形態で説明したサブキャリアは、ゼロ周波数サブキャリアとＭＩＭＯ送信周波数帯の隣接チャネル漏洩を抑制するために使用される保護サブキャリアとを除くサブキャリアを指すことは理解されうる。
【００３７】
第１の通信ノードは信号パケット内のプリアンブルを決定し、当該プリアンブルを含む信号パケットを第２の通信ノードに送信する。当該プリアンブルは少なくとも第１のフィールドおよび第２のフィールドを含み、第１のフィールドの各直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドの各ＯＦＤＭシンボルのサブキャリアは有用な情報を運搬するために使用される。第１の通信ノードにより送信された信号パケット内のプリアンブルを取得した後、第２の通信ノードは、第１のフィールドおよび第２のフィールドを用いることにより、ＭＩＭＯ送信周波数帯の全てのサブキャリア上の各空間フローの第１のチャネル推定を取得し、次いで、第２の通信ノードが、第１のチャネル推定を用いることにより、第１の通信ノードにより送信された信号を復調する。
【００３８】
第２のフィールドの各ＯＦＤＭシンボルのサブキャリアは、基準信号を運搬するのではなく有用な情報を送信するために使用される。したがって、第１のフィールドのみがチャネル推定のためのオーバヘッドとして実際に使用される。第１のフィールドのＯＦＤＭシンボルの数は空間フローの数より少ない。したがって、先行技術と比較すると、本発明の当該実施形態で提供される技術的解決策は大幅にシグナリング・オーバヘッドを減らし、リソース利用を高める。
【００３９】
特定の実施形態では、例えば、空間フローの数はＮであり、第１の通信ノードにより送信された信号パケットはＬ個のＯＦＤＭシンボルを含み、第１のフィールドおよび第２のフィールドはそれぞれＬ１およびＬ２個のＯＦＤＭシンボルを含む、即ち、Ｌ１＋Ｌ２＝Ｌ、Ｌ≦Ｎである。第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。このように、各ＯＦＤＭシンボル内の全ての空間フローに対応するサブキャリアはチャネル推定に対して相互に直交し、全ての空間フローに対応するサブキャリア上の全ての空間フローのチャネル推定を直接取得してもよく、第２のフィールドにより運搬される有用な情報に対して、これは当該有用な情報がＯＦＤＭＡにより送信されるのと等価である。
【００４０】
第１のフィールドおよび第２のフィールドの全てのＯＦＤＭシンボル内の全ての空間フローに対応するサブキャリアの位置の分布パターン集合がそれぞれπ１およびπ２として表現され、図１に示すサブキャリアのインターリーブ解決策のＮ個のＯＦＤＭシンボルにおける全ての空間フローに対応するサブキャリアの位置の分布パターン集合をΦと表す場合、π１およびπ２の両方はΦの部分集合であり、π１およびπ２の間の積集合は空、即ち、π１∩π２＝φである。φは空集合を表す。特に、Ｌ＝Ｎであるとき、π１∪π２＝Φ、即ち、第１のフィールド全体および第２のフィールド全体において、各空間フローに対応するサブキャリアがＭＩＭＯ送信周波数帯の全てのサブキャリアの位置に分散される。
【００４１】
Ｌ＜Ｎであるとき、第１のフィールド全体および第２のフィールド全体において、各空間フローに対応するサブキャリアはＭＩＭＯ送信周波数帯の全てのサブキャリアの位置に分散されない。π１およびπ２の選択が、第１のフィールド、第１のフィールド全体、および第２のフィールド全体における全ての空間フローに対応する全てのサブキャリアがＭＩＭＯ送信周波数帯全体において出来るだけ均等に分散されることを保証すべきであることが好ましい。図３は、本発明の１実施形態に従う第１のフィールドおよび第２のフィールド内の全ての空間フロー（Ｎ＝２）に対応するサブキャリアの位置の分布図である。図４は、本発明の１実施形態に従う第１のフィールドおよび第２のフィールド内の全ての空間フロー（Ｎ＝４）に対応するサブキャリアの位置の分布図である。明らかに、図３および図４に示す実施形態では、Ｌ＝Ｎである。
【００４２】
図３に示す実施形態では、第１のフィールドおよび第２のフィールドの両方は１つのみのＯＦＤＭシンボルを含み、当該２つのＯＦＤＭシンボルはそれぞれＬＴＦ−１およびＶＬＴＦ−１と表され、全ての空間フローに対応するサブキャリアの位置の分布パターンはそれぞれ、Ψ（１）およびΨ（２）を用いることにより表現される。即ち、π１＝｛Ψ（１）｝、π２＝｛Ψ（２）｝、およびπ＝Φ＝｛Ψ（１）、Ψ（２）｝である。
【００４３】
図４に示す実施形態では、ＨＥ−ＬＴＦの第１のフィールドは２つのＯＦＤＭシンボル、即ち、ＬＴＦ−１およびＬＴＦ−２を含み、全ての空間フローに対応するサブキャリアの位置の分布パターンはそれぞれΨ（１）およびΨ（３）である。第２のフィールドはまた、２つのＯＦＤＭシンボル、即ち、ＶＬＴＦ−１およびＶＬＴＦ−２を含み、全ての空間フローに対応するサブキャリアの位置の分布パターンはそれぞれΨ（２）およびΨ（４）である。したがって、当該実施形態では、π１＝｛Ψ（１）、Ψ（３）｝、π２＝｛Ψ（２）、Ψ（４）｝、およびπ＝Φ＝｛Ψ（１）、Ψ（２）、Ψ（３）、Ψ（４）｝である。空間フロー１を１例として使用すると、ＬＴＦ−１およびＬＴＦ−２における空間フロー１に対応するサブキャリアの位置はそれぞれ、1,0,0,0,1,0,0,0,1,0,0,0,・・・および0,0,1,0,0,0,1,0,0,0,1,0,・・・と表される。
【００４４】
「１」および「０」はそれぞれ、当該空間フローが対応するサブキャリアを当該位置に有するかまたは有さないことを示す。したがって、第１のフィールド内の空間フロー１に対応するサブキャリアの位置は1,0,1,0,1,0,1,0,1,0,1,0,・・・である。即ち、当該サブキャリアはＭＩＭＯ送信周波数帯全体内に均等に分布し、第２のフィールド内の空間フロー１に対応するサブキャリアの位置は第１のフィールド内の空間フロー１に対して補完的、即ち、0,1,0,1,0,1,0,1,0,1,0,1,・・・である。したがって、当該２つのフィールド内の空間フロー１に対応するサブキャリアを結合することにより、第１のフィールド全体および第２のフィールド全体における空間フロー１に対応するサブキャリアはＭＩＭＯ送信周波数帯の全てのサブキャリアの位置に分散される。
【００４５】
図３および図４における垂直座標はまた、第１のフィールド全体および第２のフィールド全体内の全ての空間フローに対応するサブキャリアの位置の分布を表す。図３および図４内の記号「●」は、空間フローが対応するサブキャリアを対応する位置に有することを示す。
【００４６】
図５は、本発明の１実施形態に従う第１のフィールドおよび第２のフィールド内の全ての空間フロー（Ｎ＝４）に対応するサブキャリアの位置の別の分布図である。当該実施形態では、Ｌ＝２であり、第１のフィールドおよび第２のフィールドの両方は１つのＯＦＤＭシンボルのみ、即ち、ＬＴＦ−１およびＶＬＴＦ−１を含み、これらはそれぞれ空間フローのサブキャリア分布パターンΨ（１）およびΨ（３）を使用する。空間フロー１を１例として使用すると、ＬＴＦ−１における空間フロー１に対応するサブキャリアの位置は1,0,0,0,1,0,0,0,1,0,0,0,・・・である。即ち、サブキャリアは３つの空の位置の間隔で出現し、第１のフィールド全体および第２のフィールド全体内の対応するサブキャリアの位置は1,0,1,0,1,0,1,0,1,0,1,0,・・・である。図５内の記号「×」は、空間フローが対応するサブキャリアを対応する位置に有しないことを示す。
【００４７】
図６は、本発明の１実施形態に従う第１のフィールドおよび第２のフィールド内の全ての空間フロー（Ｎ＝６）に対応するサブキャリアの位置の分布図である。図７は、本発明の１実施形態に従う第１のフィールドおよび第２のフィールド内の全ての空間フロー（Ｎ＝６）に対応するサブキャリアの位置の別の分布図である。図６および図７はそれぞれ、Ｌ＝３である２つの異なる実施形態を示す。当該２つの実施形態において、π＝｛Ψ（１）、Ψ（３）、Ψ（５）｝が選択され、差異はπ１とπ２が異なるということである。空間フロー１を１例として使用すると、図６では、第１のフィールドおよび第２のフィールド内の空間フロー１に対応するサブキャリアの位置はそれぞれ、1,0,0,0,0,0,1,0,0,0,0,0,・・・および1,0,1,0,0,0,1,0,1,0,0,0,・・・である。図６とは反対に、図７では、第１のフィールドおよび第２のフィールド内の空間フロー１に対応するサブキャリアの位置はそれぞれ、1,0,1,0,0,0,1,0,1,0,0,0,・・・および1,0,0,0,0,0,1,0,0,0,0,0,・・・である。
【００４８】
図８は、本発明の１実施形態に従う第１のフィールドおよび第２のフィールド内の全ての空間フロー（Ｎ＝６）に対応するサブキャリアの位置のさらに別の分布図である。当該実施形態では、Ｎ＝６、およびＬ＝４、π１＝｛Ψ（１）、Ψ（４）｝およびπ２＝｛Ψ（２）、Ψ（５）｝である。したがって、空間フロー１を１例として使用すると、第１のフィールドおよび第２のフィールド内の空間フローに対応するサブキャリアの位置はそれぞれ、1,0,0,1,0,0,1,0,0,1,0,0,・・・および0,1,0,0,1,0,0,1,0,0,1,0,・・・である。
【００４９】
第１のフィールド全体および第２のフィールド全体における空間フロー１に対応するサブキャリアの位置は1,1,0,1,1,0,1,1,0,1,1,0,・・・である。
【００５０】
上述の特定の実施形態では、第１のフィールドおよび第２のフィールドの各ＯＦＤＭシンボル内の全てのサブキャリアは異なる空間フローに順次対応する。任意選択で、第１のフィールドおよび第２のフィールドの各ＯＦＤＭシンボル内の全てのサブキャリアが異なる空間フロー・グループに順次対応してもよい。依然として、空間フローの数Ｎを説明のための１例として使用する。第１の通信ノードにより送信された信号パケットは全体でＬ個のＯＦＤＭシンボルを含み、第１のフィールドおよび第２のフィールドはそれぞれＬ１およびＬ２個のＯＦＤＭシンボルを含む。即ち、Ｌ１＋Ｌ２＝Ｌ、Ｌ≦Ｎ、Ｌ１＝ｍＫ、Ｌ２＝ｎＫ、およびＫ≧２である。第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含む。第１のフィールドにおいて、直交変換を受けた後、各空間フロー・グループの当該Ｋ個の空間フローは当該空間フロー・グループに対応する、第１のフィールドのＫ個のＯＦＤＭシンボルのサブキャリアを用いることによって順次送信される。第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【００５１】
このように、各ＯＦＤＭシンボル内の全ての空間フロー・グループに対応するサブキャリアは相互に直交し、さらに、送信端で、直交変換を受けた後、全ての空間フロー・グループ内の空間フローは、当該空間フロー・グループに対応する、Ｋ個のＯＦＤＭシンボルのサブキャリアを用いることにより順次送信され、その結果、直交変換を受けた後、受信端は、分離を通じて、全ての空間フロー・グループ内の全ての空間フローを当該Ｋ個のＯＦＤＭシンボルから取得することができる。したがって、全ての空間フロー・グループ内の全ての空間フローは相互に直交する。このように、チャネル推定に対して、全ての空間フローに対応するサブキャリア上の全ての空間フローのチャネル推定を直接取得してもよい。
【００５２】
図９は、本発明の１実施形態に従う第１のフィールドおよび第２のフィールド内の全ての空間フロー（Ｎ＝４）に対応するサブキャリアの位置のさらに別の分布図である。当該実施形態では、ｍ＝１、ｎ＝１、およびＫ＝２である。したがって、第１のフィールドおよび第２のフィールドの両方は２つのＯＦＤＭシンボル、即ち、ＬＴＦ−１およびＬＴＦ−２、およびＶＬＴＦ−１およびＶＬＴＦ−２を含む。空間フロー１および２は空間フロー・グループＡを形成し、空間フロー３および４は空間フロー・グループＢを形成する。第１のフィールドの当該２つのＯＦＤＭシンボルでは、空間フロー・グループＡは、位置シーケンス番号が奇数であるサブキャリアに対応し、空間フロー・グループＢは、位置シーケンス番号が偶数であるサブキャリアに対応する。第２のフィールドの当該２つのＯＦＤＭシンボルにおいて、空間フロー・グループＡは、位置シーケンス番号が偶数であるサブキャリアに対応し、空間フロー・グループＢは、位置シーケンス番号が奇数であるサブキャリアに対応する。したがって、空間フロー・グループＡを１例として用いると、当該２つのフィールド内の空間フロー１および２に対応するサブキャリアを結合することにより、第１のフィールド全体および第２のフィールド全体内の空間フロー１および２に対応するサブキャリアがＭＩＭＯ送信周波数帯の全てのサブキャリアの位置に分散される。
【００５３】
図１０は、本発明の１実施形態に従う第１のフィールドおよび第２のフィールド内の全ての空間フロー（Ｎ＝６）に対応するサブキャリアの位置のさらに別の分布図である。当該実施形態では、ｍ＝１、ｎ＝１、およびＫ＝２である。したがって、第１のフィールドおよび第２のフィールドの両方は２つのＯＦＤＭシンボル、即ち、ＬＴＦ−１およびＬＴＦ−２、およびＶＬＴＦ−１およびＶＬＴＦ−２を含む。空間フロー１および２は空間フロー・グループＡを形成し、空間フロー３および４は空間フロー・グループＢを形成し、空間フロー５および６は空間フロー・グループＣを形成する。第１のフィールドの当該２つのＯＦＤＭシンボルにおいて、空間フロー・グループＡ、Ｂ、およびＣに対応するサブキャリアの位置シーケンス番号はそれぞれ、１、４、７・・・、２、５、８・・・、および３、６、９・・・である。第２のフィールドの当該２つのＯＦＤＭシンボルにおいて、空間フロー・グループＡ、Ｂ、およびＣに対応するサブキャリアの位置シーケンス番号はそれぞれ、２、５、８・・・、３、６、９・・・、および１、４、７・・・である。したがって、空間フロー・グループＡを１例として用いると、当該２つのフィールド内の空間フロー１および２に対応するサブキャリアを結合することにより、第１のフィールド全体および第２のフィールド全体内の空間フロー１および２に対応するサブキャリアの位置は1,1,0,1,1,0,1,1,0,1,1,0,・・・である。
【００５４】
図１１は、本発明の１実施形態に従う第１のフィールドおよび第２のフィールド内の全ての空間フロー（Ｎ＝６）に対応するサブキャリアの位置のさらに別の分布図である。当該実施形態では、ｍ＝１、ｎ＝２、およびＫ＝２である。したがって、第１のフィールドは２つのＯＦＤＭシンボル、即ち、ＬＴＦ−１およびＬＴＦ−２を含み、第２のフィールドは４つのＯＦＤＭシンボル、即ち、ＶＬＴＦ−１、ＶＬＴＦ−２、ＶＬＴＦ−３、およびＶＬＴＦ−４を含む。空間フロー１および２は空間フロー・グループＡを形成し、空間フロー３および４は空間フロー・グループＢを形成し、空間フロー５および６は空間フロー・グループＣを形成する。第１のフィールドの当該２つのＯＦＤＭシンボルにおいて、空間フロー・グループＡ、Ｂ、およびＣに対応するサブキャリアの位置シーケンス番号はそれぞれ、１、４、７・・・、２、５、８・・・、および３、６、９・・・である。第２のフィールドのＶＬＴＦ−１およびＶＬＴＦ−２シンボルにおいて、空間フロー・グループＡ、Ｂ、およびＣに対応するサブキャリアの位置シーケンス番号はそれぞれ、２、５、８・・・、３、６、９・・・、および１、４、７・・・である。第２のフィールドのＶＬＴＦ−３およびＶＬＴＦ−４シンボルにおいて、空間フロー・グループＡ、Ｂ、およびＣに対応するサブキャリアの位置シーケンス番号はそれぞれ、３、６、９・・・、１、４、７・・・、および２、５、８・・・である。したがって、空間フロー・グループＡを１例として用いると、当該２つのフィールド内の空間フロー１および２に対応するサブキャリアを結合することにより、第１のフィールド全体および第２のフィールド全体内の空間フロー１および２に対応するサブキャリアがＭＩＭＯ送信周波数帯の全てのサブキャリアの位置に分散される。
【００５５】
図１２は、本発明の１実施形態に従う第１のフィールドおよび第２のフィールド内の全ての空間フロー（Ｎ＝８）に対応するサブキャリアの位置の分布図である。当該実施形態では、ｍ＝１、ｎ＝１、およびＫ＝２である。したがって、第１のフィールドおよび第２のフィールドの両方は２つのＯＦＤＭシンボル、即ち、ＬＴＦ−１およびＬＴＦ−２、およびＶＬＴＦ−１およびＶＬＴＦ−２を含む。空間フロー１および２は空間フロー・グループＡを形成し、空間フロー３および４は空間フロー・グループＢを形成し、空間フロー５および６は空間フロー・グループＣを形成し、空間フロー７および８は空間フロー・グループＤを形成する。第１のフィールドの当該２つのＯＦＤＭシンボルにおいて、空間フロー・グループＡ、Ｂ、Ｃ、およびＤに対応するサブキャリアの位置シーケンス番号はそれぞれ、１、５、９・・・、２、６、１０・・・、３、７、１１・・・、および４、８、１２・・・である。第２のフィールドの当該２つのＯＦＤＭシンボルにおいて、空間フロー・グループＡ、Ｂ、Ｃ、およびＤに対応するサブキャリアの位置シーケンス番号はそれぞれ、３、７、１１・・・、４、８、１２・・・、１、５、９・・・、および２、６、１０・・・である。したがって、空間フロー・グループＡを１例として用いると、当該２つのフィールド内の空間フロー１および２に対応するサブキャリアを結合することにより、第１のフィールド全体および第２のフィールド全体内の空間フロー１および２に対応するサブキャリアがＭＩＭＯ送信周波数帯の全てのサブキャリアの位置に分散される。
【００５６】
図１３は、本発明の１実施形態に従うチャネル推定方法の別の流れ図である。図２に示す方法に基づいて、アクセス・ポイントにおいて第１のフィールドにより運搬される第１の基準信号および第２のフィールドにより運搬される有用な情報を用いることによりアクセス・ポイントによって、ＭＩＭＯ送信周波数帯の全てのサブキャリア上の各空間フローの第１のチャネル推定を取得する解決策は、図１３に示すチャネル推定方法において限定される。図１３に示すように、本発明の当該実施形態で提供されるチャネル推定方法は以下を含む。
【００５７】
９０１．第１の通信ノードにより送信された信号パケット内のプリアンブルを取得する。当該プリアンブルは少なくとも第１のフィールドおよび第２のフィールドを含み、第１のフィールドの各直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドの各ＯＦＤＭシンボルのサブキャリアは有用な情報を運搬するために使用され、当該有用な情報は物理層制御情報および／またはデータである。
【００５８】
９０２．第１のフィールドにより運搬される第１の基準信号を用いることによって、第１のフィールド内の対応するサブキャリア上の各空間フローのチャネル推定を取得する。
【００５９】
９０３．補間により、ＭＩＭＯ送信周波数帯の全てのサブキャリア上の各空間フローの第２のチャネル推定を取得する。
【００６０】
９０４．第２のチャネル推定を用いることによって、第２のフィールドを復調し復号化して、第２のフィールドにより運搬される当該有用な情報を取得する。
【００６１】
９０５．当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成する。
【００６２】
９０６．第２のフィールドの各ＯＦＤＭシンボルの各サブキャリアに対応する第２の基準信号を用いることによって、第２のフィールド内の対応するサブキャリア上の各空間フローのチャネル推定を取得する。
【００６３】
９０７．各空間フローのチャネル推定を、第１のフィールドおよび第２のフィールド内の対応するサブキャリア上で結合することによって、当該ＭＩＭＯ送信周波数帯の全てのサブキャリア上の各空間フローの第１のチャネル推定を取得する。
【００６４】
ステップ９０１については、図２に示す方法の実施形態におけるステップ２０１の説明および記述を参照されたい。
【００６５】
任意選択で、例えば、第１の通信ノードがＳＴＡ、ユーザ機器、またはアクセス・ポイントであってもよく、例えば、第２の通信ノードがＳＴＡ、アクセス・ポイント、またはユーザ機器であってもよい。第２の通信ノードは、プリアンブルの第１のフィールドにより運搬される基準信号を用いることにより、第１のフィールド内の対応するサブキャリア上の各空間フローのチャネル推定を取得する。第１のフィールドのＯＦＤＭシンボルの数は空間フローの数より少ない。したがって、ＭＩＭＯ送信周波数帯の全てのサブキャリア上の各空間フローの第２のチャネル推定は補間により取得される。既存の信号処理技術における多様な成熟した補間アルゴリズムを当該補間に使用してもよい。
【００６６】
次いで、第２の通信ノードが、上述のステップを用いることにより取得されたＭＩＭＯ送信周波数帯の全てのサブキャリア上の各空間フローの第２のチャネル推定を用いることによって、第２のフィールドを復調（例えば、コンステレーション・デマッピングのような動作）および復号化して、第２のフィールドにより運搬される有用な情報を取得する。物理層制御情報を送信するために使用される第２のフィールドを１例として用いると、符号化率が１／２であるＢＰＳＫ変調および畳み込み符号化が一般的に使用される。このステップでは、受信器が、各空間フローに対応するサブキャリア上のチャネル推定をＭＩＭＯ送信周波数帯の全てのサブキャリア上の各空間フローのチャネル推定から抽出し、各空間フローの信号にＢＰＳＫ復調およびチャネル復号化を実施して、第２のフィールドにより運搬される物理層制御情報ビットを取得する。
【００６７】
次いで、同一の変調および符号化方式を用いることにより、上述の復調および復号化処理により取得された情報ビットを再符号化し再変調（例えば、コンステレーション・マッピングのような動作）して、第２のフィールドの各サブキャリアに対応する基準信号を生成する。あるいは、基準信号を、同一の変調方式を用いることにより、第２のフィールドの復調プロセスで取得される判定困難ビットを直接再変調することにより取得してもよい。物理層制御情報を送信するために使用される第２のフィールドをさらに１例として使用すると、符号化率が１／２であるＢＰＳＫ変調および畳み込み符号が使用され、信号対雑音比が過度に低いけれども、復号化は成功しうる。したがって、受信端の復号化の後に再符号化および再変調により取得された基準信号と送信端により直接送信された基準信号との間に差異はない。したがって、本発明では、オーバヘッドを大幅に削減する利点を得つつ、チャネル推定の性能が先行技術のチャネル推定の性能と同一であることが保証される。信号対雑音比が比較的高いときは、第２のフィールドの各サブキャリアに対応する基準信号を、復調により取得された判定困難ビットを直接再変調することによって取得してもよく、その結果、チャネル推定の動作が簡略化される。
【００６８】
次いで、第２の通信ノードは、第２のフィールドの各サブキャリアに対応する基準信号を用いることにより、第２のフィールド内の対応するサブキャリア上の各空間フローのチャネル推定を取得する。第１のフィールドおよび第２のフィールドにより使用される空間フローのサブキャリア分布パターンは互いと重複しない。したがって、Ｌ＝Ｎであるとき、受信器は、各空間フローのチャネル推定を、第１のフィールドおよび第２のフィールド内の対応するサブキャリア上で結合することによって、ＭＩＭＯ送信周波数帯の全てのサブキャリア上の各空間フローのチャネル推定を取得し、Ｌ＜Ｎであるとき、受信器は、各空間フローのチャネル推定を、第１のフィールドおよび第２のフィールド内の対応するサブキャリア上で結合することによって、および二次補間により、ＭＩＭＯ送信周波数帯の全てのサブキャリア上の各空間フローのチャネル推定を取得する。この時点までに、第２の通信ノードが、アップリンク・チャネル推定を用いることにより、当該ユーザ機器により送信された信号を復調してもよい。
【００６９】
図１４は、本発明の１実施形態に従うチャネル推定方法のさらに別の流れ図である。図１４に示すように、本発明の当該実施形態で提供されるチャネル推定方法は以下を含む。
【００７０】
１００１．信号パケット内のプリアンブルを決定する。当該プリアンブルは少なくとも第１のフィールドおよび第２のフィールドを含み、第１のフィールドの各直交周波数分割多重ＯＦＤＭシンボルのサブキャリアは第１の基準信号を運搬するために使用され、第１の基準信号は、第１の通信ノードおよび第２の通信ノードの両方に既知である決定された信号であり、第２のフィールドの各ＯＦＤＭシンボルのサブキャリアは有用な情報を運搬するために使用され、当該有用な情報は物理層制御情報および／またはデータである。
【００７１】
１００２．当該プリアンブルを含む信号パケットを第２の通信ノードに送信する。
【００７２】
本発明の当該実施形態を第１の通信ノードにより実行してもよい。任意選択で、例えば、第１の通信ノードがユーザ機器またはアクセス・ポイントであってもよく、例えば、第２の通信ノードがアクセス・ポイントまたはユーザ機器であってもよい。アップリンク・パケット内のプリアンブルを決定した後、ユーザ機器は、当該プリアンブルを含むアップリンク・パケットをアクセス・ポイントに送信する。当該プリアンブルは第１のフィールドおよび第２のフィールドを含み、第１のフィールドの各直交周波数分割多重ＯＦＤＭシンボルのサブキャリアは基準信号を運搬するために使用され、第２のフィールドの各ＯＦＤＭシンボルのサブキャリアは有用な情報を運搬するために使用される。先行技術と比較すると、本発明の当該実施形態で提供される技術的解決策は大幅にシグナリング・オーバヘッドを減らし、リソース利用を高める。
【００７３】
図１５は、本発明の１実施形態に従う第２の通信ノードの略構造図である。図１５に示すように、本発明の当該実施形態で提供される第２の通信ノード１１は、第１の通信ノードにより送信された信号パケット内のプリアンブルを取得するように構成された取得モジュール１１０１であって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、取得モジュール１１０１と、当該取得モジュールにより取得された当該プリアンブル内の第１のフィールドおよび第２のフィールドを用いることによって、多入力多出力ＭＩＭＯ送信周波数帯の全てのサブキャリア上の各空間フローの第１のチャネル推定を取得するように構成されたチャネル推定モジュール１１０２とを備える。
【００７４】
本発明の当該実施形態で提供される第２の通信ノード１１を使用して、図２に示す方法の実施形態の技術的解決策を実行してもよい。その実装原理は同様であり、詳細についてはここでは再度説明しない。先行技術と比較すると、本発明の当該実施形態で提供される技術的解決策は大幅にシグナリング・オーバヘッドを減らし、リソース利用を高める。
【００７５】
任意選択で、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。任意選択で、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含む。第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信される。第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。任意選択で、当該サブキャリアは、ゼロ周波数サブキャリアとＭＩＭＯ送信周波数帯の隣接チャネル漏洩を抑制するために使用される保護サブキャリアとを除くサブキャリアである。
【００７６】
任意選択で、チャネル推定モジュール１１０２は特に、第１のフィールドにより運搬される第１の基準信号を用いることによって、第１のフィールド内の対応するサブキャリア上の各空間フローのチャネル推定を取得し、補間により、ＭＩＭＯ送信周波数帯の全てのサブキャリア上の各空間フローの第２のチャネル推定を取得し、第２のチャネル推定を用いることによって、第２のフィールドを復調し復号化して、第２のフィールドにより運搬される当該有用な情報を取得し、当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成し、第２のフィールドの各ＯＦＤＭシンボルの各サブキャリアに対応する第２の基準信号を用いることによって、第２のフィールド内の対応するサブキャリア上の各空間フローのチャネル推定を取得し、各空間フローのチャネル推定を、第１のフィールドおよび第２のフィールド内の対応するサブキャリア上で結合することによって、ＭＩＭＯ送信周波数帯の全てのサブキャリア上の各空間フローの第１のチャネル推定を取得するように構成される。
【００７７】
図１６は、本発明の１実施形態に従う第１の通信ノードの略構造図である。図１６に示すように、本発明の当該実施形態で提供される第１の通信ノード１２は、信号パケット内のプリアンブルを決定するように構成された決定モジュール１２０１であって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、決定モジュール１２０１と、当該プリアンブルを含む信号パケットを第２の通信ノードに送信するように構成された送信モジュール１２０２とを備える。
【００７８】
本発明の当該実施形態で提供されるユーザ機器１２を、図１４に示す方法の実施形態の技術的解決策を実行するように構成してもよい。その実装原理は同様であり、詳細についてはここでは再度説明しない。先行技術と比較すると、本発明の当該実施形態で提供される技術的解決策は大幅にシグナリング・オーバヘッドを減らし、リソース利用を高める。
【００７９】
図１７は、本発明の１実施形態に従う第２の通信ノードの別の略構造図である。図１７に示すように、本発明の当該実施形態で提供される第２の通信ノード１７は、第１の通信ノードにより送信された信号パケット内のプリアンブルを取得するように構成された送受信器１７０１であって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、送受信器１７０１と、送受信器１７０１により取得された当該プリアンブル内の第１のフィールドおよび第２のフィールドを用いることによって、多入力多出力ＭＩＭＯ送信周波数帯の全てのサブキャリア上の各空間フローの第１のチャネル推定を取得するように構成されたプロセッサ１７０２とを備える。
【００８０】
本発明の当該実施形態で提供される第２の通信ノード１７を使用して、図２に示す方法の実施形態の技術的解決策を実行してもよい。その実装原理は同様であり、詳細についてはここでは再度説明しない。先行技術と比較すると、本発明の当該実施形態で提供される技術的解決策は大幅にシグナリング・オーバヘッドを減らし、リソース利用を高める。
【００８１】
任意選択で、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。任意選択で、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含む。第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信される。第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。任意選択で、当該サブキャリアは、ゼロ周波数サブキャリアとＭＩＭＯ送信周波数帯の隣接チャネル漏洩を抑制するために使用される保護サブキャリアとを除くサブキャリアである。
【００８２】
任意選択で、プロセッサ１７０２は特に、第１のフィールドにより運搬される第１の基準信号を用いることによって、第１のフィールド内の対応するサブキャリア上の各空間フローのチャネル推定を取得し、補間により、ＭＩＭＯ送信周波数帯の全てのサブキャリア上の各空間フローの第２のチャネル推定を取得し、第２のチャネル推定を用いることによって、第２のフィールドを復調し復号化して、第２のフィールドにより運搬される当該有用な情報を取得し、当該復調および復号化の動作で使用されるのと同じ変調および符号化方式を用いることによって、第２のフィールドにより運搬される当該有用な情報を再符号化し再変調して、第２のフィールドの各ＯＦＤＭシンボルの各サブキャリアに対応する第２の基準信号を生成し、第２のフィールドの各ＯＦＤＭシンボルの各サブキャリアに対応する第２の基準信号を用いることによって、第２のフィールド内の対応するサブキャリア上の各空間フローのチャネル推定を取得し、各空間フローのチャネル推定を、第１のフィールドおよび第２のフィールド内の対応するサブキャリア上で結合することによって、ＭＩＭＯ送信周波数帯の全てのサブキャリア上の各空間フローの第１のチャネル推定を取得するように構成される。
【００８３】
図１８は、本発明の１実施形態に従う第１の通信ノードの別の略構造図である。図１８に示すように、本発明の当該実施形態で提供される第１の通信ノード１８は、信号パケット内のプリアンブルを決定するように構成されたプロセッサ１８０１であって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、プロセッサ１８０１と、当該プリアンブルを含む信号パケットを第２の通信ノードに送信するように構成された送信器１８０２とを備える。
【００８４】
本発明の当該実施形態で提供される第１の通信ノード１８を使用して、図１４に示す方法の実施形態の技術的解決策を実行してもよい。その実装原理は同様であり、詳細についてはここでは再度説明しない。先行技術と比較すると、本発明の当該実施形態で提供される技術的解決策は大幅にシグナリング・オーバヘッドを減らし、リソース利用を高める。
【００８５】
図１９は本発明の１実施形態に従う通信システムの略構造図である。図１９に示すように、本発明の当該実施形態で提供される通信システム１３は第２の通信ノード１３１および第１の通信ノード１３２を備える。第２の通信ノード１３１が本発明の任意の実施形態に従う第２の通信ノード１１であってもよく、第１の通信ノード１３２が本発明の任意の実施形態に従う第１の通信ノード１２であってもよい。
【００８６】
当業者は、方法の実施形態のステップの全部または一部を、関連ハードウェアに指示するプログラムによって実装してもよいことを理解しうる。当該プログラムをコンピュータ可読記憶媒体に格納してもよい。当該プログラムを実行すると、方法の実施形態のステップが実施される。上述の記憶媒体は、ＲＯＭ、ＲＡＭ、磁気ディスク、または光ディスクのような、プログラム・コードを格納できる任意の媒体を含む。
【００８７】
最後に、上述の実施形態は本発明の技術的解決策を説明するためのものにすぎず、本発明を限定するためのものではないことは理解されるべきである。上述の実施形態を参照して本発明を詳細に説明したが、当業者が依然として、本発明の当該実施形態の技術的解決策の範囲から逸脱せずに、上述の実施形態で説明した技術的解決策に修正を加えるか、または、その一部または全部の技術的特徴に均等な置換えを行ってもよいことを当業者は理解すべきである。
【符号の説明】
【００８８】
１３１  第２の通信ノード
１３２  第１の通信ノード
１１０１  取得モジュール
１１０２  チャネル推定モジュール
１２０１  決定モジュール
１２０２  送信モジュール
１７０１  送受信器
１７０２  プロセッサ
１８０１  プロセッサ
１８０２  送信器
【図１】
2017535141.tif 000003
【図２】
2017535141.tif 000004
【図３】
2017535141.tif 000005
【図４】
2017535141.tif 000006
【図５】
2017535141.tif 000007
【図６】
2017535141.tif 000008
【図７】
2017535141.tif 000009
【図８】
2017535141.tif 000010
【図９】
2017535141.tif 000011
【図１０】
2017535141.tif 000012
【図１１】
2017535141.tif 000013
【図１２】
2017535141.tif 000014
【図１３】
2017535141.tif 000015
【図１４】
2017535141.tif 000016
【図１５】
2017535141.tif 000017
【図１６】
2017535141.tif 000018
【図１７】
2017535141.tif 000019
【図１８】
2017535141.tif 000020
【図１９】
2017535141.tif 000021
【手続補正書】
【提出日】平成29年5月1日(2017.5.1)
【手続補正１】
【補正対象書類名】明細書
【補正対象項目名】００１２
【補正方法】変更
【補正の内容】
【００１２】
第２の態様によれば、本発明の当該実施形態ではチャネル推定方法を提供する。当該方法は、
信号パケット内のプリアンブルを決定するステップであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は、第１の通信ノードおよび第２の通信ノードの両方に既知である決定された信号であり、第２のフィールドのＯＦＤＭシンボルのサブキャリアは有用な情報を運搬するために使用され、当該有用な情報は物理層制御情報および／またはデータである、ステップと、
当該プリアンブルを含む信号パケットを第２の通信ノードに送信するステップと、
を含む。
第２の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
第２の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【手続補正２】
【補正対象書類名】明細書
【補正対象項目名】００１８
【補正方法】変更
【補正の内容】
【００１８】
第４の態様によれば、本発明の当該実施形態では第１の通信ノードを提供する。第１の通信ノードは、
信号パケット内のプリアンブルを決定するように構成された決定モジュールであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、決定モジュールと、
当該プリアンブルを含む信号パケットを第２の通信ノードに送信するように構成された送信モジュールと、
を備える。
第４の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
第４の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【手続補正３】
【補正対象書類名】明細書
【補正対象項目名】００２４
【補正方法】変更
【補正の内容】
【００２４】
第６の態様によれば、本発明の当該実施形態では第１の通信ノードを提供する。第１の通信ノードは、
信号パケット内のプリアンブルを決定するように構成されたプロセッサであって、当該プリアンブルは少なくとも第１のフィールドおよび第２のフィールドを含み、第１のフィールドの直交周波数分割多重ＯＦＤＭシンボルのサブキャリアは第１の基準信号を運搬するために使用され、第１の基準信号は第２の通信ノードおよび第１の通信ノードの両方に既知である決定された信号であり、第２のフィールドのＯＦＤＭシンボルのサブキャリアは有用な情報を運搬するために使用され、当該有用な情報は物理層制御情報および／またはデータである、プロセッサと、
当該プリアンブルを含む信号パケットを第２の通信ノードに送信するように構成された送信器と、
を備える。
第６の態様の第１の可能な実装方式では、第１のフィールドおよび第２のフィールドの各ＯＦＤＭシンボル内の全てのサブキャリアは異なる空間フローに順次対応し、異なるＯＦＤＭシンボル内の同一位置のサブキャリアに対応する空間フローは異なる。
第６の態様の第２の可能な実装方式では、第１のフィールドおよび第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、当該空間フロー・グループはＫ個の空間フローを含み、第１のフィールドにおいて、直交変換を受けた後、各空間フロー・グループの当該Ｋ個の空間フローは、当該空間フロー・グループに対応する、第１のフィールドのＫ個のＯＦＤＭシンボルのサブキャリアを用いることによって順次送信され、第２のフィールドにおいて、直交変換を受けた後、各空間フロー・グループの当該Ｋ個の空間フローは、当該空間フロー・グループに対応する、第２のフィールドのＫ個のＯＦＤＭシンボルのサブキャリアを用いることによって順次送信される。
【手続補正４】
【補正対象書類名】明細書
【補正対象項目名】００７８
【補正方法】変更
【補正の内容】
【００７８】
本発明の当該実施形態で提供される第１の通信ノード１２を、図１４に示す方法の実施形態の技術的解決策を実行するように構成してもよい。その実装原理は同様であり、詳細についてはここでは再度説明しない。先行技術と比較すると、本発明の当該実施形態で提供される技術的解決策は大幅にシグナリング・オーバヘッドを減らし、リソース利用を高める。
【手続補正５】
【補正対象書類名】特許請求の範囲
【補正対象項目名】全文
【補正方法】変更
【補正の内容】
【特許請求の範囲】
【請求項１】
第１の通信ノードにより送信された信号パケット内のプリアンブルを取得するステップであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、ステップと、
前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するステップと、
を含む、チャネル推定方法。
【請求項２】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項１に記載の方法。
【請求項３】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項１に記載の方法。
【請求項４】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項１乃至３の何れか１項に記載の方法。
【請求項５】
前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するステップは、
前記第１のフィールドにより運搬される前記第１の基準信号を用いることによって、前記第１のフィールド内の対応するサブキャリア上の各空間フローのチャネル推定を取得するステップと、
補間により、前記ＭＩＭＯ送信周波数帯の全てのサブキャリア上の各空間フローの第２のチャネル推定を取得するステップと、
前記第２のチャネル推定を用いることによって、前記第２のフィールドを復調し復号化して、前記第２のフィールドにより運搬される前記有用な情報を取得するステップと、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成するステップと、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得するステップと、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得するステップと、
を含む、請求項１乃至４の何れか１項に記載の方法。
【請求項６】
信号パケット内のプリアンブルを決定するステップであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は、第１の通信ノードおよび第２の通信ノードの両方に既知である決定された信号であり、前記第２のフィールドのＯＦＤＭシンボルのサブキャリアは有用な情報を運搬するために使用され、前記有用な情報は物理層制御情報および／またはデータである、ステップと、
前記プリアンブルを含む前記信号パケットを前記第２の通信ノードに送信するステップと、
を含む、チャネル推定方法。
【請求項７】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項６に記載の方法。
【請求項８】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項６に記載の方法。
【請求項９】
第２の通信ノードであって、
第１の通信ノードにより送信された信号パケット内のプリアンブルを取得するように構成された取得モジュールであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は前記第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、取得モジュールと、
前記取得モジュールにより取得された前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するように構成されたチャネル推定モジュールと、
を備える、第２の通信ノード。
【請求項１０】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項９に記載の第２の通信ノード。
【請求項１１】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項９に記載の第２の通信ノード。
【請求項１２】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項９乃至１１の何れか１項に記載の第２の通信ノード。
【請求項１３】
前記チャネル推定モジュールは特に、
前記第１のフィールドにより運搬される前記第１の基準信号を用いることによって、前記第１のフィールド内の対応するサブキャリア上の各空間フローのチャネル推定を取得し、
補間により、前記ＭＩＭＯ送信周波数帯の全てのサブキャリア上の各空間フローの第２のチャネル推定を取得し、
前記第２のチャネル推定を用いることによって、前記第２のフィールドを復調し復号化して、前記第２のフィールドにより運搬される前記有用な情報を取得し、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成し、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得し、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得する
ように構成された、請求項９乃至１２の何れか１項に記載の第２の通信ノード。
【請求項１４】
第１の通信ノードであって、
信号パケット内のプリアンブルを決定するように構成された決定モジュールであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、決定モジュールと、
前記プリアンブルを含む前記信号パケットを前記第２の通信ノードに送信するように構成された送信モジュールと、
を備える、第１の通信ノード。
【請求項１５】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項１４に記載の第１の通信ノード。
【請求項１６】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項１４に記載の第１の通信ノード。
【請求項１７】
第２の通信ノードであって、
第１の通信ノードにより送信された信号パケット内のプリアンブルを取得するように構成された送受信器であって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は前記第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、送受信器と、
前記送受信器により取得された前記プリアンブル内の前記第１のフィールドおよび前記第２のフィールドを用いることによって、多入力多出力ＭＩＭＯ送信周波数帯の全てのサブキャリア上の各空間フローの第１のチャネル推定を取得するように構成されたプロセッサと、
を備える、第２の通信ノード。
【請求項１８】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項１７に記載の第２の通信ノード。
【請求項１９】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項１７に記載の第２の通信ノード。
【請求項２０】
前記サブキャリアは、ゼロ周波数サブキャリアと前記ＭＩＭＯ送信周波数帯の隣接チャネル漏洩を抑制するために使用される保護サブキャリアとを除くサブキャリアである、請求項１７に記載の第２の通信ノード。
【請求項２１】
前記プロセッサは特に、
前記第１のフィールドにより運搬される前記第１の基準信号を用いることによって、前記第１のフィールド内の対応するサブキャリア上の各空間フローのチャネル推定を取得し、
補間により、前記ＭＩＭＯ送信周波数帯の全てのサブキャリア上の各空間フローの第２のチャネル推定を取得し、
前記第２のチャネル推定を用いることによって、前記第２のフィールドを復調し復号化して、前記第２のフィールドにより運搬される前記有用な情報を取得し、
前記復調および復号化の動作で使用されるのと同じ変調および符号化方式を用いることによって、前記第２のフィールドにより運搬される前記有用な情報を再符号化し再変調して、前記第２のフィールドの各ＯＦＤＭシンボルの各サブキャリアに対応する第２の基準信号を生成し、
前記第２のフィールドの各ＯＦＤＭシンボルの各サブキャリアに対応する前記第２の基準信号を用いることによって、前記第２のフィールド内の対応するサブキャリア上の各空間フローのチャネル推定を取得し、
各空間フローのチャネル推定を、前記第１のフィールドおよび前記第２のフィールド内の対応するサブキャリア上で結合することによって、前記ＭＩＭＯ送信周波数帯の全てのサブキャリア上の各空間フローの前記第１のチャネル推定を取得する
ように構成される、請求項１７に記載の第２の通信ノード。
【請求項２２】
第１の通信ノードであって、
信号パケット内のプリアンブルを決定するように構成されたプロセッサであって、前記プリアンブルは少なくとも第１のフィールドおよび第２のフィールドを含み、前記第１のフィールドの直交周波数分割多重ＯＦＤＭシンボルのサブキャリアは第１の基準信号を運搬するために使用され、前記第１の基準信号は第２の通信ノードおよび前記第１の通信ノードの両方に既知である決定された信号であり、前記第２のフィールドのＯＦＤＭシンボルのサブキャリアは有用な情報を運搬するために使用され、前記有用な情報は物理層制御情報および／またはデータである、プロセッサと、
前記プリアンブルを含む前記信号パケットを前記第２の通信ノードに送信するするように構成された送信器と、
を備える、第１の通信ノード。
【請求項２３】
前記第１のフィールドおよび前記第２のフィールドの各ＯＦＤＭシンボル内の全てのサブキャリアは異なる空間フローに順次対応し、異なるＯＦＤＭシンボル内の同一位置のサブキャリアに対応する空間フローは異なる、請求項２２に記載の第１の通信ノード。
【請求項２４】
前記第１のフィールドおよび前記第２のフィールドの各ＯＦＤＭシンボル内の全てのサブキャリアは異なる空間フロー・グループに順次対応し、異なるＯＦＤＭシンボル内の同一位置のサブキャリアに対応する空間フロー・グループは異なり、前記空間フロー・グループはＫ個の空間フローを含み、前記第１のフィールドにおいて、直交変換を受けた後、各空間フロー・グループの前記Ｋ個の空間フローは、前記空間フロー・グループに対応する、前記第１のフィールドのＫ個のＯＦＤＭシンボルのサブキャリアを用いることによって順次送信され、前記第２のフィールドにおいて、直交変換を受けた後、各空間フロー・グループの前記Ｋ個の空間フローは、前記空間フロー・グループに対応する、前記第２のフィールドのＫ個のＯＦＤＭシンボルのサブキャリアを用いることによって順次送信される、請求項２２に記載の第１の通信ノード。
【請求項２５】
請求項９乃至１３の何れか１項に記載の第２の通信ノードと請求項１４に記載の第１の通信ノードを備える、通信システム。
【国際調査報告】
2017535141.tif 000022
2017535141.tif 000023
2017535141.tif 000024
2017535141.tif 000025